【事件の表示】
　特許第２９１１９６０号「パチンコ機の図柄表示装置」の請求項１ないし３に係る特許に対する特許異議の申立てについて、次のとおり決定する。
【結　論】
　特許第２９１１９６０号の請求項１ないし３に係る特許を維持する。
【理　由】
  特許２９１１９６０号（平成２年５月１６日出願、平成１１年４月９日設定登録。）の請求項１ないし３に係る発明は、その特許請求の範囲の請求項１〜３に記載された事項により特定されるとおりのものである。
  申立人は、証拠として甲第１号証（特願平１−１４２３８５号（特開平３−７１８４号））、及び、甲第２〜４号証を提出し、各請求項に係る発明の特許は、先願明細書（上記甲第１号証）に記載された発明と同一であり、特許法第２９条の２第１項の規定により特許を受けることができないのものであるから、各請求項に係る発明の特許を取り消すべき旨主張している。
  先願明細書には、
「パチンコ機」であって、
「複数の数字等の記号を独立に所定方向に変位表示可能に多数の棒状セグメント発光素子を配列した可変表示装置と、特定入賞口への打球の入賞に応じて可変表示装置の表示を所定方向に流れるように更新する表示更新手段と、表示更新停止時の可変表示装置の表示の組み合わせによって通常遊技の態様から特別遊技の態様に変換する変動入賞装置とを備え」ていること（第１頁左欄第５行〜第１２行）、
「表示図柄は第２０図（Ａ）のように左デジタルＡに１０種類、中、右デジタルＢ、Ｃに１５種類あり、変動順序（回転順序）は各デジタルＡ、Ｂ、Ｃともに図の上から下である。図中カッコ内はプログラムで扱う数値である」こと（第５頁左下欄第１４行〜第１８行）、
「α時間は、主乱数ＲＡＮＤＯＭ、表示用乱数ＤＩＳＰＤＴの抽出時期を設定するもので、図柄が回転を開始してから所定時間の経過後にＳＵＢＧＥＮの下５桁を抽出し、抽出した値を基に算出する（第１６図（Ｂ）の２．１０４）。
  β時間は、中デジタルＢの停止時間（スクロール時間）を設定するもので、左デジタルＡと右デジタルＣの停止図柄の比較に基づいて中デジタルＢの図柄の戻し数を定め、戻し数を基に算出する（第１６図（Ｃ）の２．２１１，２．２１２）。
ＳＴＥＰ２に入ると、前記α時間が経過したときにまずサブルーチンＦＥＴＣＨ（第１９図（Ｆ））にて各デジタルＡ、Ｂ、Ｃの停止図柄を設定する。サブルーチンＦＥＴＣＨでは、表示用乱数 ＤＩＳＰＤＴと主乱数 ＲＡＮＤＯＭ の値を抽出し、ＤＩＳＰＤＴの値を大当たり以外の値に補正した後、この値をサブルーチンＣＨＧＢＣＤ（第１９図（Ｂ）にて３桁の数値に変換し、ＲＡＮＤＯＭ≠７７ であれば、百位の値をデジタルＡの停止図柄データに、十位の値を中デジタルＢの停止図柄データに、一位の値を右デジタルＣの停止図柄データにセットし、ＲＡＮＤＯＭ＝７７であれば、大当たりとして百位の値を左、中、右デジタルＡ、Ｂ、Ｃの停止図柄データとしてセットする（２．２０１〜２．２０５）。
  次に左デジタルＡの停止制御に入ると（左デジタルＡの所定回転時間経過後）、その停止図柄データからスクロールによる送り分を引いた２つの手前の図柄をセットし、スクロール時間（１スクロール７２ｍ秒）をセットする。次に右デジタルＣの停止制御に入ると（右デジタルＣの所定回転時間経過後）、その停止図柄データからスクロールによる送り分を引いた２つ手前の図柄をセットし、スクロール時間（１スクロール７２ｍ秒）をセットする。そして、中デジタルＢの停止制御に入ると（中デジタルＢの所定回転時間経過後）、左デジタルＡと右デジタルＣの停止図柄が異なる場合には、その停止図柄から２つ手前の図柄をセットし、左、右デジタルＡ、Ｃの停止図柄が同一の場合には、副乱数ＳＵＢＧＥＮの値を基に定めた戻し数に応じてその停止図柄データから２〜１７手前の図柄をセットし、スクロール時間（１スクロール５６ｍ秒）をセットする（２．２０６〜２．２１７）。」こと（第６頁左上欄第１８行〜右下欄第１行）、
「第１７図（Ｃ）にて、デジタル３４のスクロール（回転）は、まず回転情報（第１６図（Ｂ）の２．１０１）により各デジタルＡ、Ｂ、Ｃの現図柄データを取り出し、オフセットポインタが所定値になると、図柄データを示すベースポインタを更新して次の図柄データを取り出し、これらのデータを次々にダイナミック点灯域にセットする（３．３０〜３．４３〜３．５０）。そして、規定時間が経過すると、第１６図（Ｃ）の２．２０５，２．２１１〜２．２１４にて設定されたデジタルＡ、Ｂ、Ｃの停止図柄データと、スクロール回数、スクロール時間とに応じて、該当デジタルのスクロールカウンタとオフセットポインタおよびベースポインタを更新し、対応する図柄データをダイナミック点灯域にセットする。また、スクロール要求を終了したときにオフセットポインタが停止位置に無い場合は、オフセットポインタを−１する（３．３０〜３．５０）。なお、これらも第１７図（Ｄ）にてダイナミック制御される。
　したがって、デジタル回転時にデジタルＡ、Ｂ、Ｃの図柄は、第２５図のように上方から下方へと移動しながら切り換え表示される。そして、デジタルが停止する際には、第２６図のように例えば現在の表示図柄が〔１〕で停止図柄が〔６〕であれば、〔１〕の次の〔２〕が消えるときに次の図柄を〔６〕の前の〔５〕に切り換え．〔５〕の図柄から所定スクロールして〔６〕の図柄で停止される。また、中デジタルＢの場合は、停止図柄から２〜１７手前の図柄に切り換わり、また停止時のオーバーランはランダムに行われる」こと（第８頁右上欄第１６行〜右下欄第５行）、
「そして、遊技部３に発射された打球がうまく特定入賞口６ａ〜６ｃに入賞すると、デジタル３４の図柄が第２５図のように上方から下方へ回転を始め、所定時間経過すると、乱数ＳＵＢＧＥＮによりα時間が設定され、α時間が経過すると、乱数ＲＡＮＤＯＭ、ＤＩＳＰＤＴにより大当たりかどうかおよび左、中、右デジタルＡ、Ｂ、Ｃに停止する図柄が決定される。
　左デジタルＡの所定回転時間が経過すると、左デジタルＡは第２６図のように停止図柄の２つ手前の図柄に切り換えられ、緩やかな速度（７２ｍｓ）でスクロールし、ランダムにオーバランしながら定位値に停止する。この停止後、右デジタルＣの所定回転時間が経過すると、右デジタルＣは同様に停止図柄の２つ手前の図柄に切り換えられ、緩やかな速度（７２ｍ秒）でスクロールし、ランダムにオーバランしながら定位値に停止する。
  そして、この停止後、中デジタルＢの所定回転時間が経過すると、左、右デジタルＡ、Ｃの停止図柄が同一の場合には、乱数ＳＵＢＧＥＮを基に定めた戻し数に応じて、中デジタルＢは停止図柄の２〜１７手前の図柄に切り換えられ、デジタルＡ，Ｃとは異なる速度（５２ｍ秒）でスクロールし、ランダムにオーバランしながち定位値に停止する。また、左、右デジタルＡ、Ｃの停止図柄が同一の場合には、右デジタルＣの停止時点にて左、右デジタルＡ、Ｃの図柄が大きい図柄に切り換えられる。
  デジタルＡ、Ｂ、Ｃの回転を停止する際に図柄を緩やかな速度でスクロール、つまり図柄が上方から下方へ流れるように表示および更新されるため、図柄および図柄の切り換わりが大変見やすくなり、このため遊技者にとってデジタルＡ、Ｂ、Ｃが目標（大当たり）の図柄で停止するかどうかの期待感が得られる。また、右デジタルＡ、Ｃは、２つ手前の図柄からスクロールして停止し、これらの停止図柄が同一であれば大当たりの期待感が高まるが、この場合、左、右デジタルＡ、Ｃの停止図柄が同一となると、最後に停止される中デジタルＢは、２〜１７手前の図柄に切り換わって一義的には停止しないため、意外性に富み、さらには左、右デジタルの図柄も大きく変化し、このため大当たりが発生するかどうかの大きな期待感が得られる。」こと（第９頁左上欄第１２行〜左下欄第１５行）、
が記載されている。
  また、甲第２号証（特開昭６０−８５７７４号公報）には、
「回転ドラム２２ａ，２２ｂ，２２ｃが所定時間回転して停止した位置（表示）信号は位置検出器３８へ出力され該位置検出器３８より判定回路３９へ出力される。表示選択機構３３の操作釦３２によって予め設定された回転ドラム２２ａ，２２ｂ，２２ｃの当り位置信号回路３９に入力された当り位置信号４０と位置検出器３８からの信号４１とが一致すると信号をタイマー４２を介して当り入賞ポケット１８のソレノイド３０へ出力するようになっている。」（第３頁右上欄第８行〜第１８行）ことが、
  甲第３号証（特開昭５９−１４１９７３号公報）には、
「このとき、検出手段５８ａ〜５８ｃは、各回転ドラム５１ａ〜５１ｃによって表示窓で表示される識別情報を検出して、ドラム組合わせ判定回路７５１に与える。ドラム組合わせ判定回路７５１は、各回転ドラム５１ａ〜５１ｃで表示される識別情報の組合せが最大価値を付与できるように定められた組合わせ、またはその他の組合わせであって相対的に小さな価値を付与するように定められたものか否かを判定する。ドラム組合せ判定回路７５１の判定結果は、組合せ状態検出回路７５２および開成時間制御回路７６１に与えられる。組合せ状態検出回路７５２は、回転ドラム５１ａ〜５１ｃの組合わせが最大価値を付与できるように定められた組合わせ（たとえばオールＡ）でないか、または最大価値を付与できるように定められた組合せであってもセグメント表示器４１で表示される識別情報が数字７でなければ、最大価値付与状態でないことを検出して、その出力をローレベルのままとする。」（第９頁左下欄第２行〜第２０行）ことが、
  甲第４号証（特開昭６０−６６７７２号公報）には、
「判定回路１０９では、上記回転ドラム機構１０４からの信号およびＬＥＤコントロール回路１０５からの信号に基づいて、可変表示装置が停止したときの表示の組合わせの有する価値を判定し、遊技状態が予め定める遊技状態になったか否かを検出する。このように、この実施例では、判定回路１０９が、遊技状態が予め定める遊技状態になったことを検出する特定状態検出手段を構成している。
  今、回転ドラム機構１０４およびＬＥＤディスプレイ１０６の停止した表示の組合わせが、たとえば、ドラム１１１，１１２，１１３がすべて「７」であり、ＬＥＤディスプレイ１０６の表示も「７」の場合は、遊技状態が予め定める特定遊技状態（例えば後述する最大価値を付与する遊技状態）であることを判定する。」（第８頁左上欄第１０行〜右上欄第５行）ことが、それぞれ記載されている。
  請求項１に係る発明（以下「前者」という。）と先願明細書記載の発明（以下「後者」という。）とを対比すると、前者は「指標」を有するものである。そして、この「指標」は「図柄記憶手段」に「記憶」されているものであり、「図柄表示体」の「表示図柄を循環的に変動表示する」ため「設定時間だけ規則的に更新」されるものであり、「図柄表示体の変動開始後の所定時間」に「乱数記憶手段に記憶された乱数値に基づいて」、「制御手段」により「無作為的に変更」されるものであるが、後者には上記のような「指標」がなく、甲第２〜４号証を参酌しても、両者が同一のものであるとはいえない。
  請求項２，３に係る発明は、上記前者を更に限定したものであるから、上記前者についての判断と同様の理由により、上記後者のものと同一であるとはいえない。
  従って、特許異議申立ての理由及び証拠によっては、請求項１ないし３に係る発明の特許を取り消すことはできない。
  また、他に本件特許を取り消すべき理由を発見しない。
  よって、結論のとおり決定する。
【異議決定日】
平成１２年５月１９日（２０００．５．１９）